(57)【要約】      （修正有）【課題】構造における安定性を備え、簡単な製造、便利な収納に加えて服飾の外観の美しさと全体のバランスを高める発光服飾を提供する。【解決手段】本発光服飾は、服飾１０と発光部材２０と制御回路３０とを備える。前記服飾は、外表面に導光体１２を縫い付け、服飾上には収納部１３を配置する。前記発光部材は、導光体の末端に接続する。前記制御回路は、回路板と電池とを備えて服飾の収納部に配置し、並びに、電導線と発光部材とを相互に連結して、発光部材の点滅方式を制御する。よって、発光部材の光源を服飾の導光体に伝送し、外部に放射することにより、発光による警告表示の強化と、美観を備えた装飾効果を達成する。【選択図】図２
0003168607.tif 000002
【実用新案登録請求の範囲】
【請求項１】
外表面に導光部を縫い付け、収納部を備える服飾と、
導光部の末端に接続する発光部材と、
回路板と電池とを備え、服飾の収納部に配置し、並びに、備えた電導線発光部材とを相互に連結して、発光部材の点滅方式を制御する制御回路とを備えることを特徴とする発光服飾。
【請求項２】
前記導光部は、少なくとも一つの導光繊維を備えることを特徴とする請求項１に記載の発光服飾。
【請求項３】
前記導光繊維の外層には光透過カバーを配置することを特徴とする請求項２に記載の発光服飾。
【請求項４】
前記光透過カバーは中空の管体であることを特徴とする請求項３に記載の発光服飾。
【請求項５】
前記中空の管体の側辺にはエッジ片を延伸することを特徴とする請求項４に記載の発光服飾。
【請求項６】
前記中空の管体の後方段には更に、発光部材を嵌入するための延長部を配置することを特徴とする請求項５に記載の発光服飾。
【請求項７】
前記導光部の導光繊維は、螺旋状態で光透過カバー内に配置することを特徴とする請求項５に記載の発光服飾。
【請求項８】
前記光透過カバー上の服飾に近い一方側には明るさを増加する反射層を配置することを特徴とする請求項７に記載の発光服飾。
【請求項９】
前記光透過カバーの外側方向の一方側前後には疎密の異なる光遮断ネット点を配置し、前後に均等発光を行わせることを特徴とする請求項８に記載の発光服飾。
【請求項１０】
前記服飾は、数枚の裁断した生地を縫製して作られ、光透過カバーのエッジ片は前記裁断した生地に縫設することを特徴とする請求項５に記載の発光服飾。
【請求項１１】
前記服飾は、数枚の裁断した生地を縫製して作られ、光透過カバーのエッジ片は前記服飾の二枚の裁断した生地の間に挟み込むことを特徴とする請求項５、７、８、９の何れかに記載の発光服飾。
【請求項１２】
前記服飾には電導線を収めるための収納部に繋がる収納路を備えることを特徴とする請求項１１に記載の発光服飾。
【請求項１３】
前記収納路は服飾のエッジ或いは縫目箇所に縫設することを特徴とする請求項１２に記載の発光服飾。
【請求項１４】
前記導光部は直線状態で裁断した生地上に配置することを特徴とする請求項１０に記載の発光服飾。
【請求項１５】
前記導光部は直線状態で二枚の裁断した生地の間に配置することを特徴とする請求項１３に記載の発光服飾。
【請求項１６】
前記導光部には、文字や図形を示して二枚の裁断した生地の間に配置することを特徴とする請求項１３に記載の発光服飾。
【請求項１７】
前記電導線は中空の管体に貫設することを特徴とする請求項１４に記載の発光服飾。
【考案の詳細な説明】
【技術分野】
【０００１】
放射線状放熱装置は発光服飾に関し、特に衣服や装飾品のエッジ或いは縫目箇所に導光部を備えた発光服飾であり、構造における安定性を備え、簡単な製造、便利な収納に加えて服飾の外観の美しさと全体のバランスを高める発光服飾に係る。
【背景技術】
【０００２】
工業商業社会の発展に伴い、人々の生活形態もその影響を受けて変化している。例えば、交通警察、清掃員、道路工事作業員等の夜間に仕事をする人口が徐々に増加し、自転車をレジャースポーツとする者の増える中、夜間に車両を運転する人も多くなっている。しかし、夜間に道を歩いている人や車の混雑が昼間ほどではなく、車両運転者が自然と速度をあげるため、一般の自転車運転者や路上歩行者、或いは道路で仕事をしている交通警察、清掃員、道路工事作業員にとり、事故の発生する危険性が向上している。
【０００３】
公知の安全警告表示は、一般の自転車ボディの後方或いはペダルの前後両側に反射板を配置し、ライト反射を強化させた警告によって夜間走行の危険を防ぐものである。また、更に服飾上に反射片を縫い付けて車両のライトを反射させる設計もある。これにより、車両の運転者が路上歩行者や作業員に特に注意を向けることを強化している。しかし、この種の反射設計は受動式である。外側から受ける光線があってこそ車両のライトを反射して警告表示効果を達成することができ、反射片の材質と外の光源の強弱が反射効果に影響を与える。正面からの照射或いは晴天時の光線が良好な場合に、反射効果も良い状態となり、運転者に正常な反応動作を起こさせることができる。しかし、走行車がちょうど路肩の曲がり角箇所にいてライトが当たらなかったり、雨天時に散光現象が発生した場合、それに対する反射効果も劣悪となり、運転者は反応が間に合わないことから、衝突事故を起こしやすく、ひどい場合には大事故を招くことにもなる。
【０００４】
そこで、その後、例えば、特許文献１の「結合の簡単な光透過性構造及びその光透過性構造を含む光伝送装置」及び特許文献２の「改良式光伝送装置」の実用新案の如き積極的な発光警告表示の設計が出現した。
【０００５】
公知の「結合の簡単な光透過性構造及びその光透過性構造を含む光伝送装置」の実用新案において、それは、光源及び光透過性を備え、その内、前記光源は、フォトルミネセンス装置（photoluminescence）及び発光体により構成され、光透過性構造は十分な透明度を備え、受け取った光源の光線を外界へと放射する。また、光透過性構造は、円柱状の本体、及び本体周辺エッジに延伸する薄片構造を備える。前記薄片構造上には衣服上のボタンを嵌入固定するための細い隙間をあけるか、直接衣服上に縫い付け、光透過性構造を衣服に固定させる。しかし、その欠点は、光透過性構造が光源を外界に放射させるだけであることにあり、導光効果はなく、光伝送装置が長すぎる場合、光源を効果的に末端に伝送できず、使用者の安全を効果的に確保することは不可能である。また、光伝送装置は、細い隙間と衣服のボタンを相互に嵌合し固定するか、衣服上に直接縫い付けるため、全体の外観について言えば、美観を損なうものである。前記実用新案においては、フォトルミネセンス装置をいかに配置するのかを説明しておらず、前記実用新案の図面に示したフォトルミネセンス装置は、発光体と相互に連結するものであり、前記発光体は更に直接、光透過性構造と相互に連結している点からみると、前記フォトルミネセンス装置は衣服表面に裸で配置され、フォトルミネセンス装置内には回路、電池取り付け台、外殻体等を備えているため、体積が非常に大きくなり、使用者の活動を不便にし、外部の衝撃、摩擦を受けたフォトルミネセンス装置は損傷し易くなる。また、「改良式光伝送装置」は、前述した光透過性構造の光線伝送における欠点を若干改善したものの、前記光伝送装置をいかに一装置上に配置するのかを開示、説明していない。
【０００６】
よって、公知の光伝送構造及びそれを衣服に固定することについては前記欠点が存在し、現代の経済、外観の美しさ、及び実際使用時の要望に応じることはできないでいる。
【先行技術文献】
【特許文献】
【０００７】
【特許文献１】中華民国実用新案第９３２２０１０６号
【特許文献２】中華民国実用新案第９３２１７２６５号
【考案の概要】
【考案が解決しようとする課題】
【０００８】
本考案人は、前述の公知光伝送装置及びそれを衣服に固定することから誘導される各種欠点に鑑み、改善するための考案を思索し、長年深く研鑽を続けた後、ついに発光服飾の開発に成功した。
本考案の目的は、構造における安定性を備え、簡単な製造、便利な収納に加えて服飾の外観の美しさと全体のバランスを高める発光服飾を提供することにある。
【課題を解決するための手段】
【０００９】
本考案の発光服飾は、服飾と発光部材と制御回路とを備える。
前記服飾は、外表面に導光部を縫い付け、服飾上には収納部を配置する。
前記発光部材は、導光部の末端に接続する。
前記制御回路は、回路板と電池を備え、服飾の収納部に配置し、並びに、電導線と発光部材とを相互に連結して、発光部材の点滅方式を制御する。よって、発光部材の光源を服飾の導光部に伝送し、外部に放射することにより、警告表示効果を達成する。
【考案の効果】
【００１０】
本考案の発光服飾は、構造における安定性を備え、簡単な製造、便利な収納に加えて服飾の外観の美しさと全体のバランスを高める効果を備える。
【図面の簡単な説明】
【００１１】
【図１】本考案の外観図である。
【図２】本考案の透視図である。
【図３】図１におけるＡ−Ａの断面図である。
【図４】図３におけるＢ−Ｂの断面図である。
【図５】本考案のもう一つの実施例図である。
【図６】本考案の導光部に関するもう一つの実施例図である。
【考案を実施するための形態】
【００１２】
本考案の組み合わせ、構造、特徴、及び使用について明確に詳細に認識及び理解するために、考案人は、図面を参照とした良好な実施例による詳細説明を次に行う。
【実施例】
【００１３】
まず、図１〜４に示すとおり、本考案の発光服飾は、主に服飾１０、発光部材２０、制御回路３０を備える。
【００１４】
前記服飾１０は、上衣、ジャンバー、ズボン等の衣服、或いは帽子、布靴、スカーフ等の被ったり、身に付けたり、人体を覆う服飾品とし、前身ごろ、後ろ身ごろ、袖等の数枚の裁断した生地１１を縫製して作られるものである。前身ごろ、後ろ身ごろ、袖等は、一枚の裁断した生地１１或いは二枚以上の裁断した生地１１を縫い合わせて作り、服飾１０の裁断した生地１１の外表面に導光部１２を縫い付ける。また、導光部１２は、直線状態で裁断した生地１１上に（図５参照）或いは二つの裁断した生地１１間（図３参照）に配置する。服飾１０上には収納部１３を備え、収納部１３は公知の衣服のポケットとすることも可能である。服飾１０のエッジ１０１或いは縫目箇所１０２に収納路１４を縫い付け、収納路１４を収納部１３に繋がらせる。前記導光部１２には、少なくとも一つの導光繊維１２１を備えさせ、その外部層には光透過カバー１２２を配置し、光透過カバー１２２は中空の管体１２２１と、管体１２２１から延伸させたエッジ片１２２２により構成され、光透過カバー１２２のエッジ片１２２２を単一の裁断した生地１１に縫い付けるか、服飾１０の二つの裁断した生地１１の間に挟み込み、且つ管体１２２１の後方段に設けた延長部１２２３によって発光部材２０を嵌合する。また、前記導光部１２には、文字や図形を示して二つの裁断した生地１１の間に配置することも可能であり、導光部１２の導光繊維１２１は、螺旋状態で光透過カバー１２２内に配置することも可能である。
【００１５】
発光部材２０は、導光部１２の末端に連結する。発光部材２０は、発光ダイオード、電球、光源を備える部材とする。
【００１６】
制御回路３０は、回路板及び電池（未図示）を備え、服飾１０の収納部１３に配置し、並びに、収納路１４に収める電導線３１を備え、電導線３１は発光部材２０と連結して、発光部材２０の点滅方式を制御する。
【００１７】
図２に示す通り、使用者は服飾１０を着用後、服飾１０の収納部１３にある制御回路３０を押すと、電導線３１と発光部材２０が通電し、発光部材２０を発光させる。並びに、その光源を服飾１０の導光部１２の導光繊維１２１内に伝え、導光繊維１２１によって光源はその末端に伝えられ、光透過カバー１２２を通して外部に放出されるため、発光を強化した警告表示と美観を備えた装飾効果を達成することができる。また、図５には、本考案のもう一つの実施例を示す。服飾１０の背面に配置する導光部１２は、服飾１０のいかなる位置にも配置可能であり、導光部１２の配置を便利にするため、並びに、外観の美しさのために、電導線３１を中空の管体１２２１内に直接貫設することも可能である。
【００１８】
図６に、本考案の導光部１２のもう一つの実施例図を示す。導光部１２の光透過カバー１２２上の服飾１０に近い一方側には明るさを増加する反射層１２２４を配置し、光透過カバー１２２の外側方向の一方側前後にも疎密の異なる光遮断ネット点１２２５を配置し、前後に均等性のある発光を行う。
【００１９】
本考案の特殊設計は、公知の光源伝送によって引き起こされる明るさ不足、及び公知の発光構造の取り付け、衣服への配置、物品の用意周到でない点を明らかに改善し、使用者の活動上の不便性を回避し、公知構造が外部から受ける衝撃、摩擦、損傷を防ぐ。しかも、本考案は、服飾１０の複数の裁断した生地１１と導光部１２のエッジ片１２２２とを相互に結合し、発光部材２０、制御回路３０、電導線３１を服飾１０の収納部１３と収納路１４内に配置することにより、服飾１０の外観の美しさと全体的なバランスを向上させる。
【００２０】
前述の具体的な実施例は、本考案の目的、特徴、及び効果を詳細に説明するためのものであり、本技術に熟知する者が、前述説明に基づいて具体的実施例に対して一部を変化及び修正することは可能である。よって、その本質が本考案の精神及び範囲を逸脱しないものは全て、本考案の実用新案登録請求の範囲内に含まれることをここに記する。
【符号の説明】
【００２１】
１０    服飾
１０１    エッジ
１０２    縫目箇所
１１    裁断した生地
１２    導光部
１２１    導光繊維
１２２    光透過カバー
１２２１    管体
１２２２      エッジ片
１２２３    延長部
１２２４      反射層
１２２５    光遮断ネット点
１３    収納部
１４    収納路
２０    発光部材
３０    制御回路
３１    電導線
【図１】
0003168607.tif 000003
【図２】
0003168607.tif 000004
【図３】
0003168607.tif 000005
【図４】
0003168607.tif 000006
【図５】
0003168607.tif 000007
【図６】
0003168607.tif 000008
【手続補正書】
【提出日】平成23年4月8日(2011.4.8)
【手続補正１】
【補正対象書類名】明細書
【補正対象項目名】全文
【補正方法】変更
【補正の内容】
【考案の詳細な説明】
【技術分野】
【０００１】
放射線状放熱装置は発光服飾に関し、特に衣服や装飾品のエッジ或いは縫目箇所に導光体を備えた発光服飾であり、構造における安定性を備え、簡単な製造、便利な収納に加えて服飾の外観の美しさと全体のバランスを高める発光服飾に係る。
【背景技術】
【０００２】
工業商業社会の発展に伴い、人々の生活形態もその影響を受けて変化している。例えば、交通警察、清掃員、道路工事作業員等の夜間に仕事をする人口が徐々に増加し、自転車をレジャースポーツとする者の増える中、夜間に車両を運転する人も多くなっている。しかし、夜間に道を歩いている人や車の混雑が昼間ほどではなく、車両運転者が自然と速度をあげるため、一般の自転車運転者や路上歩行者、或いは道路で仕事をしている交通警察、清掃員、道路工事作業員にとり、事故の発生する危険性が向上している。
【０００３】
公知の安全警告表示は、一般の自転車ボディの後方或いはペダルの前後両側に反射板を配置し、ライト反射を強化させた警告によって夜間走行の危険を防ぐものである。また、更に服飾上に反射片を縫い付けて車両のライトを反射させる設計もある。これにより、車両の運転者が路上歩行者や作業員に特に注意を向けることを強化している。しかし、この種の反射設計は受動式である。外側から受ける光線があってこそ車両のライトを反射して警告表示効果を達成することができ、反射片の材質と外の光源の強弱が反射効果に影響を与える。正面からの照射或いは晴天時の光線が良好な場合に、反射効果も良い状態となり、運転者に正常な反応動作を起こさせることができる。しかし、走行車がちょうど路肩の曲がり角箇所にいてライトが当たらなかったり、雨天時に散光現象が発生した場合、それに対する反射効果も劣悪となり、運転者は反応が間に合わないことから、衝突事故を起こしやすく、ひどい場合には大事故を招くことにもなる。
【０００４】
そこで、その後、例えば、特許文献１の「結合の簡単な光透過性構造及びその光透過性構造を含む光伝送装置」及び特許文献２の「改良式光伝送装置」の実用新案の如き積極的な発光警告表示の設計が出現した。
【０００５】
公知の「結合の簡単な光透過性構造及びその光透過性構造を含む光伝送装置」の実用新案において、それは、光源及び光透過性を備え、その内、前記光源は、フォトルミネセンス装置（photoluminescence）及び発光体により構成され、光透過性構造は十分な透明度を備え、受け取った光源の光線を外界へと放射する。また、光透過性構造は、円柱状の本体、及び本体周辺エッジに延伸する薄片構造を備える。前記薄片構造上には衣服上のボタンを嵌入固定するための細い隙間をあけるか、直接衣服上に縫い付け、光透過性構造を衣服に固定させる。しかし、その欠点は、光透過性構造が光源を外界に放射させるだけであることにあり、導光効果はなく、光伝送装置が長すぎる場合、光源を効果的に末端に伝送できず、使用者の安全を効果的に確保することは不可能である。また、光伝送装置は、細い隙間と衣服のボタンを相互に嵌合し固定するか、衣服上に直接縫い付けるため、全体の外観について言えば、美観を損なうものである。前記実用新案においては、フォトルミネセンス装置をいかに配置するのかを説明しておらず、前記実用新案の図面に示したフォトルミネセンス装置は、発光体と相互に連結するものであり、前記発光体は更に直接、光透過性構造と相互に連結している点からみると、前記フォトルミネセンス装置は衣服表面に裸で配置され、フォトルミネセンス装置内には回路、電池取り付け台、外殻体等を備えているため、体積が非常に大きくなり、使用者の活動を不便にし、外部の衝撃、摩擦を受けたフォトルミネセンス装置は損傷し易くなる。また、「改良式光伝送装置」は、前述した光透過性構造の光線伝送における欠点を若干改善したものの、前記光伝送装置をいかに一装置上に配置するのかを開示、説明していない。
【０００６】
よって、公知の光伝送構造及びそれを衣服に固定することについては前記欠点が存在し、現代の経済、外観の美しさ、及び実際使用時の要望に応じることはできないでいる。
【先行技術文献】
【特許文献】
【０００７】
【特許文献１】中華民国実用新案第９３２２０１０６号
【特許文献２】中華民国実用新案第９３２１７２６５号
【考案の概要】
【考案が解決しようとする課題】
【０００８】
本考案人は、前述の公知光伝送装置及びそれを衣服に固定することから誘導される各種欠点に鑑み、改善するための考案を思索し、長年深く研鑽を続けた後、ついに発光服飾の開発に成功した。
本考案の目的は、構造における安定性を備え、簡単な製造、便利な収納に加えて服飾の外観の美しさと全体のバランスを高める発光服飾を提供することにある。
【課題を解決するための手段】
【０００９】
本考案の発光服飾は、服飾と発光部材と制御回路とを備える。
前記服飾は、外表面に導光体を縫い付け、服飾上には収納部を配置する。
前記発光部材は、導光体の末端に接続する。
前記制御回路は、回路板と電池を備え、服飾の収納部に配置し、並びに、電導線と発光部材とを相互に連結して、発光部材の点滅方式を制御する。よって、発光部材の光源を服飾の導光体に伝送し、外部に放射することにより、警告表示効果を達成する。
【考案の効果】
【００１０】
本考案の発光服飾は、構造における安定性を備え、簡単な製造、便利な収納に加えて服飾の外観の美しさと全体のバランスを高める効果を備える。
【図面の簡単な説明】
【００１１】
【図１】本考案の外観図である。
【図２】本考案の透視図である。
【図３】図１におけるＡ−Ａの断面図である。
【図４】図３におけるＢ−Ｂの断面図である。
【図５】本考案のもう一つの実施例図である。
【図６】本考案の導光体に関するもう一つの実施例図である。
【考案を実施するための形態】
【００１２】
本考案の組み合わせ、構造、特徴、及び使用について明確に詳細に認識及び理解するために、考案人は、図面を参照とした良好な実施例による詳細説明を次に行う。
【実施例】
【００１３】
まず、図１〜４に示すとおり、本考案の発光服飾は、主に服飾１０、発光部材２０、制御回路３０を備える。
【００１４】
前記服飾１０は、上衣、ジャンバー、ズボン等の衣服、或いは帽子、布靴、スカーフ等の被ったり、身に付けたり、人体を覆う服飾品とし、前身ごろ、後ろ身ごろ、袖等の数枚の裁断した生地１１を縫製して作られるものである。前身ごろ、後ろ身ごろ、袖等は、一枚の裁断した生地１１或いは二枚以上の裁断した生地１１を縫い合わせて作り、服飾１０の裁断した生地１１の外表面に導光体１２を縫い付ける。また、導光体１２は、直線状態で裁断した生地１１上に（図５参照）或いは二つの裁断した生地１１間（図３参照）に配置する。服飾１０上には収納部１３を備え、収納部１３は公知の衣服のポケットとすることも可能である。服飾１０のエッジ１０１或いは縫目箇所１０２に収納路１４を縫い付け、収納路１４を収納部１３に繋がらせる。前記導光体１２には、少なくとも一つの導光繊維１２１を備えさせ、その外部層には光透過カバー１２２を配置し、光透過カバー１２２は中空の管体１２２１と、管体１２２１から延伸させたエッジ片１２２２により構成され、光透過カバー１２２のエッジ片１２２２を単一の裁断した生地１１に縫い付けるか、服飾１０の二つの裁断した生地１１の間に挟み込み、且つ管体１２２１の後方段に設けた延長部１２２３によって発光部材２０を嵌合する。また、前記導光体１２には、文字や図形を示して二つの裁断した生地１１の間に配置することも可能であり、導光体１２の導光繊維１２１は、螺旋状態で光透過カバー１２２内に配置することも可能である。
【００１５】
発光部材２０は、導光体１２の末端に連結する。発光部材２０は、発光ダイオード、電球、光源を備える部材とする。
【００１６】
制御回路３０は、回路板及び電池（未図示）を備え、服飾１０の収納部１３に配置し、並びに、収納路１４に収める電導線３１を備え、電導線３１は発光部材２０と連結して、発光部材２０の点滅方式を制御する。
【００１７】
図２に示す通り、使用者は服飾１０を着用後、服飾１０の収納部１３にある制御回路３０を押すと、電導線３１と発光部材２０が通電し、発光部材２０を発光させる。並びに、その光源を服飾１０の導光体１２の導光繊維１２１内に伝え、導光繊維１２１によって光源はその末端に伝えられ、光透過カバー１２２を通して外部に放出されるため、発光を強化した警告表示と美観を備えた装飾効果を達成することができる。また、図５には、本考案のもう一つの実施例を示す。服飾１０の背面に配置する導光体１２は、服飾１０のいかなる位置にも配置可能であり、導光体１２の配置を便利にするため、並びに、外観の美しさのために、電導線３１を中空の管体１２２１内に直接貫設することも可能である。
【００１８】
図６に、本考案の導光体１２のもう一つの実施例図を示す。導光体１２の光透過カバー１２２上の服飾１０に近い一方側には明るさを増加する反射層１２２４を配置し、光透過カバー１２２の外側方向の一方側前後にも疎密の異なる光遮断ネット点１２２５を配置し、前後に均等性のある発光を行う。
【００１９】
本考案の特殊設計は、公知の光源伝送によって引き起こされる明るさ不足、及び公知の発光構造の取り付け、衣服への配置、物品の用意周到でない点を明らかに改善し、使用者の活動上の不便性を回避し、公知構造が外部から受ける衝撃、摩擦、損傷を防ぐ。しかも、本考案は、服飾１０の複数の裁断した生地１１と導光体１２のエッジ片１２２２とを相互に結合し、発光部材２０、制御回路３０、電導線３１を服飾１０の収納部１３と収納路１４内に配置することにより、服飾１０の外観の美しさと全体的なバランスを向上させる。
【００２０】
前述の具体的な実施例は、本考案の目的、特徴、及び効果を詳細に説明するためのものであり、本技術に熟知する者が、前述説明に基づいて具体的実施例に対して一部を変化及び修正することは可能である。よって、その本質が本考案の精神及び範囲を逸脱しないものは全て、本考案の実用新案登録請求の範囲内に含まれることをここに記する。
【符号の説明】
【００２１】
１０    服飾
１０１    エッジ
１０２    縫目箇所
１１    裁断した生地
１２    導光体
１２１    導光繊維
１２２    光透過カバー
１２２１    管体
１２２２      エッジ片
１２２３    延長部
１２２４      反射層
１２２５    光遮断ネット点
１３    収納部
１４    収納路
２０    発光部材
３０    制御回路
３１    電導線
【手続補正２】
【補正対象書類名】実用新案登録請求の範囲
【補正対象項目名】全文
【補正方法】変更
【補正の内容】
【実用新案登録請求の範囲】
【請求項１】
外表面に導光体を縫い付け、収納部を備える服飾と、
導光体の末端に接続する発光部材と、
回路板と電池とを備え、服飾の収納部に配置し、並びに、備えた電導線発光部材とを相互に連結して、発光部材の点滅方式を制御する制御回路とを備えることを特徴とする発光服飾。
【請求項２】
前記導光体は、少なくとも一つの導光繊維を備えることを特徴とする請求項１に記載の発光服飾。
【請求項３】
前記導光繊維の外層には光透過カバーを配置することを特徴とする請求項２に記載の発光服飾。
【請求項４】
前記光透過カバーは中空の管体であることを特徴とする請求項３に記載の発光服飾。
【請求項５】
前記中空の管体の側辺にはエッジ片を延伸することを特徴とする請求項４に記載の発光服飾。
【請求項６】
前記中空の管体の後方段には更に、発光部材を嵌入するための延長部を配置することを特徴とする請求項５に記載の発光服飾。
【請求項７】
前記導光体の導光繊維は、螺旋状態で光透過カバー内に配置することを特徴とする請求項５に記載の発光服飾。
【請求項８】
前記光透過カバー上の服飾に近い一方側には明るさを増加する反射層を配置することを特徴とする請求項７に記載の発光服飾。
【請求項９】
前記光透過カバーの外側方向の一方側前後には疎密の異なる光遮断ネット点を配置し、前後に均等発光を行わせることを特徴とする請求項８に記載の発光服飾。
【請求項１０】
前記服飾は、数枚の裁断した生地を縫製して作られ、光透過カバーのエッジ片は前記裁断した生地に縫設することを特徴とする請求項５に記載の発光服飾。
【請求項１１】
前記服飾は、数枚の裁断した生地を縫製して作られ、光透過カバーのエッジ片は前記服飾の二枚の裁断した生地の間に挟み込むことを特徴とする請求項５、７、８、９の何れかに記載の発光服飾。
【請求項１２】
前記服飾には電導線を収めるための収納部に繋がる収納路を備えることを特徴とする請求項１１に記載の発光服飾。
【請求項１３】
前記収納路は服飾のエッジ或いは縫目箇所に縫設することを特徴とする請求項１２に記載の発光服飾。
【請求項１４】
前記導光体は直線状態で裁断した生地上に配置することを特徴とする請求項１０に記載の発光服飾。
【請求項１５】
前記導光体は直線状態で二枚の裁断した生地の間に配置することを特徴とする請求項１３に記載の発光服飾。
【請求項１６】
前記導光体には、文字や図形を示して二枚の裁断した生地の間に配置することを特徴とする請求項１３に記載の発光服飾。
【請求項１７】
前記電導線は中空の管体に貫設することを特徴とする請求項１４に記載の発光服飾。